(57)【要約】      （修正有）【課題】水路の幅が狭くて除染に必要な量の捕捉材を設置できない場合でも、土壌を汚染しないようにして簡易な設備で除染できるようにした放射性物質で汚染された水の除染設備を提供する。【解決手段】水路１の途中を塞き止めてその上流側に取込口１１を形成し、塞き止め位置の下流側に戻し口１２を形成し、広幅の内部空間を有した箱体４の前後に流入口と排水口を設け、その箱体４内に水中の放射性物質を捕捉できる捕捉材を充填した通水性の捕捉ユニット５を流れの横断方向に複数列且つ脱着可能に配置し、箱体４の流入口と水路１の取込口１１及び箱体４の排水口と水路１の戻し口１２とを水管３でそれぞれ接続し、箱体４内に流入した汚染水Ｗａが複列の捕捉ユニット５で除染された後に水路１へ流れ出るようにする。【選択図】図１
0003186956.tif 000002
【実用新案登録請求の範囲】
【請求項１】
放射性物質で汚染された水路の水を除染する設備であって、水路の途中を塞き止めてその上流側に取込口を形成し、塞き止め位置の下流側に戻し口を形成し、広幅の内部空間を有した箱体の前後に流入口と排水口を設け、その箱体内に水中の放射性物質を捕捉できる捕捉材を充填した通水性の捕捉ユニットを流れの横断方向に複数列且つ脱着可能に配置し、箱体の流入口と水路の取込口及び箱体の排水口と水路の戻し口とを水管でそれぞれ接続し、箱体内に流入した汚染水が複列の捕捉ユニットで除染された後に水路へ流れ出るようにしたことを特徴とする、放射性物質で汚染された水の除染設備。
【請求項２】
捕捉ユニットの各列の両側面に多孔板を設けて捕捉ユニットを拘束した、請求項１記載の放射性物質で汚染された水の除染設備。
【請求項３】
箱体の流入口と最上流側の捕捉ユニットの列との間の位置に流入した汚染水を分散させる多孔の分散板を設けた、請求項１又は２記載の放射性物質で汚染された水の除染設備。
【請求項４】
捕捉材が稲わら又は籾殻で、捕捉ユニットが前記捕捉材を網袋に詰めたものである、請求項１〜３いずれか記載の放射性物質で汚染された水の除染設備。
【考案の詳細な説明】
【技術分野】
【０００１】
本考案は、放射性物質で汚染された水を除染する除染設備に関し、詳しくは、幅の狭い水路を流れる汚染水を簡易な設備で除染できるようにする技術に関する。
【背景技術】
【０００２】
原子力発電所や使用済み核燃料の再処理施設で事故が発生すると、セシウム等の放射性物質が大気中に放出されて近隣の河川や湖、池等が汚染されることがある。河川では、水路の途中に放射性物質を捕捉できる捕捉材を設置して汚染水を除染する方法があるが、幅の狭い側溝や用水路等は除染に必要な量の捕捉材を設置できなかった。
【０００３】
これに対し、用水路を流れる汚染水を除染しようとする技術が特許文献１に開示されている。この技術は、田畑に供給する農業用水の除染技術であって、モミガラ入りの網袋を充填した通水性の容器を農業用水の取込口の周囲を囲むように田畑に複数並べて配置し、その囲まれた領域に放射性物質を含む農業用水を取り込ませ、容器内の網袋を通過させて水中の放射性物質をモミガラに捕捉させ、容器を通過した除染済みの水を田畑に放水することを特徴としている。
【０００４】
しかしながら、前記技術では、容器で囲まれた領域の土壌が汚染水の流入で汚染されるから、除染後はその領域の土壌を入れ換える作業が必要であった。
【先行技術文献】
【特許文献】
【０００５】
【特許文献１】実用新案登録第３１８０４３６号公報
【考案の概要】
【考案が解決しようとする課題】
【０００６】
本考案が解決しようとする課題は、従来のこれらの問題点を解消し、水路の幅が狭くて除染に必要な量の捕捉材を設置できない場合でも、土壌を汚染しないようにして簡易な設備で除染することにある。
【課題を解決するための手段】
【０００７】
かかる課題を解決した本考案の構成は、
１）  放射性物質で汚染された水路の水を除染する設備であって、水路の途中を塞き止めてその上流側に取込口を形成し、塞き止め位置の下流側に戻し口を形成し、広幅の内部空間を有した箱体の前後に流入口と排水口を設け、その箱体内に水中の放射性物質を捕捉できる捕捉材を充填した通水性の捕捉ユニットを流れの横断方向に複数列且つ脱着可能に配置し、箱体の流入口と水路の取込口及び箱体の排水口と水路の戻し口とを水管でそれぞれ接続し、箱体内に流入した汚染水が複列の捕捉ユニットで除染された後に水路へ流れ出るようにしたことを特徴とする、放射性物質で汚染された水の除染設備
２）  捕捉ユニットの各列の両側面に多孔板を設けて捕捉ユニットを拘束した、前記１）記載の放射性物質で汚染された水の除染設備
３）  箱体の流入口と最上流側の捕捉ユニットの列との間の位置に流入した汚染水を分散させる多孔の分散板を設けた、前記１）又は２）記載の放射性物質で汚染された水の除染設備
４）  捕捉材が稲わら又は籾殻で、捕捉ユニットが前記捕捉材を網袋に詰めたものである、前記１）〜３）いずれか記載の放射性物質で汚染された水の除染設備
にある。
【考案の効果】
【０００８】
本考案によれば、汚染水が水路の上流側から取込口と水管と流入口を通って箱体内に流れ込み、複列の捕捉ユニットを段階的に通過しながら水中の放射性物質が捕捉材に捕捉され、除染された水が排水口と水管と戻し口を通って水路の下流側へ流れ出る。したがって、水路の幅が狭くても、除染設備を設置できる場所があれば除染できる。しかも、汚染水は箱体内を流通させるから、近辺の土壌を汚染することがない。さらに、除染設備は汚染水を水流の自然な力で捕捉材に通過させるから、駆動装置や電源等が不要で簡易な構造となり、低コストで実施できる。
【図面の簡単な説明】
【０００９】
【図１】実施例の除染設備の一部切り欠き平面図である。
【図２】図１のＡ−Ａ線断面図である。
【図３】実施例の捕捉ユニットの説明図である。
【考案を実施するための形態】
【００１０】
以下、本考案を実施するための形態を代表的な実施例と図面に基づいて具体的に説明する。なお、本考案は以下の実施例に限定されるものではなく、様々な組み合わせや変形が可能である。
【実施例】
【００１１】
本実施例の除染設備を図１，２に示す。図中、１は水路、１１は取込口、１２は戻し口、２は塞き止め板、３は水管、４は箱体、５は捕捉ユニット、６は架台、Ｗは除染された水、Ｗａは放射性物質で汚染された汚染水である。
【００１２】
箱体４は、図１，２に示すように、長さ５３００ｍｍ、幅４５００ｍｍ、高さ３４０ｍｍのＦＲＰ（繊維強化プラスチック）製で、上流側の側面に流入口４１を開口し、下流側の側面に排水口４２を開口し、上面は開放可能な蓋４３となっている。内部空間には間隔をおいた一対の金属製の多孔板４４を流れの横断方向に４組配置し、流入口４１と最上流側の多孔板４４との間及び排水口４２と最下流側の多孔板４４との間の位置に多孔を有する金属製の分散板４５を取り付けている。箱体４の容量は８．１ｍ３である。
【００１３】
捕捉ユニット５は、図３に示すように、面ファスナー５１で開閉できる網袋５２に稲わらや籾殻からなる捕捉材５３を詰めたものである。袋詰めした状態の網袋５２の大きさは、長さ６００ｍｍ、幅３００ｍｍ、高さ１７０ｍｍである。この複数の捕捉ユニット５を一対の多孔板４４の間に千鳥状となるように２列２段に配置し、蓋４３で加圧している。
【００１４】
図１，２に示すように、水路１の側方の場所に架台６を設置し、その架台６の上部に前記の箱体４を設置する。水路１の途中には塞き止め板２を取り付け、その塞き止め板２の上流側の側面に取込口１１を切り欠き、その取込口１１と箱体４の流入口４１とをＦＲＰ製の水管３で接続する。また、塞き止め板２の下流側の水路１の側面には戻し口１２を切り欠き、その戻し口１２と箱体４の排水口４２とをＦＲＰ製の水管３で接続する。流入側の水管３の幅は１０００ｍｍ、高さが１７０ｍｍで、排水側の水管３の幅は１０００ｍｍ、高さが２５０ｍｍである。
【００１５】
汚染水Ｗａが水路１の上流側から取込口１１と水管３と流入口４１を通って箱体４内に流れ込み、複列の捕捉ユニット５を段階的に通過して水中の放射性物質が捕捉材５３に捕捉される。このとき、流入した汚染水Ｗａが分散板４５で遮られて流速が落ち、幅広く分散しながら箱体４内全域にゆっくりと流れる。したがって、汚染水Ｗａが捕捉ユニット５の特定部位に集中して流れるのを防止でき、各捕捉ユニット５に均等に通過させて効率良く除染できる。
【００１６】
その後、除染された水Ｗが排水口４２と水管３と戻し口１２を通って水路１の下流側へ流れ出る。本実施例では、汚染水Ｗａの流入水量が１．８ｍ３／分の場合、箱体４内の滞留時間は４．５分であった。
【００１７】
捕捉ユニット５の捕捉能力が飽和すると蓋４３を開けて取り出し、新しい捕捉材５３を詰め直した捕捉ユニット５を箱体４内に配置して処理を再開する。網袋５２から取り出した使用済みの捕捉材５３は、放射能が影響の無いレベルに下がるまで保管する。このように、水路１の幅が狭くても、除染設備を設置できる場所があれば除染できる。しかも、汚染水Ｗａは箱体４内を流通させるから、近辺の土壌を汚染することがない。さらに、除染設備は汚染水Ｗａを水流の自然な力で捕捉ユニット５を通過させるから、駆動装置や電源等が不要な簡易な構造となり、低コストで実施できる。
【産業上の利用可能性】
【００１８】
本考案の技術は、道路の側溝や田畑の用水路等の水路を流れる水の除染に利用される。
【符号の説明】
【００１９】
１    水路
１１  取込口
１２  戻し口
２    塞き止め板
３    水管
４    箱体
４１  流入口
４２  排水口
４３  蓋
４４  多孔板
４５  分散板
５    捕捉ユニット
５１  面ファスナー
５２  網袋
５３  捕捉材
６    架台
Ｗ    水
Ｗａ  汚染水
【図１】
0003186956.tif 000003
【図２】
0003186956.tif 000004
【図３】
0003186956.tif 000005